(57)【要約】【課題】  操作性、利便性の高いブックマーク機能を有する情報通信端末を得る。【解決手段】  ＵＲＬ登録データベース１０７は複数のディレクトリから構成され、各ディレクトリは、そこへ登録されるＷｅｂページが満たすべき登録条件と、ブックマーク参照時に、優先的にそのディレクトリ内のＵＲＬを表示するか否かを判断するための呼出条件を有する。また、登録対象のＷｅｂページから、メタデータを取得するＷｅｂページ情報取得部１０２と、情報通信端末１００の使用環境に関する外部情報を取得する外部情報取得部１０３を備え、ＵＲＬ登録部１０４は、メタデータおよび外部情報を用いて、対象のＷｅｂページが登録条件を満たすディレクトリを登録先とする。ブックマーク参照時には、ディレクトリ選択表示部１０５が外部情報を用いて各ディレクトリの呼出条件を満たすか否かを判定し、条件を満たすディレクトリのＵＲＬを優先的に表示する。【選択図】        図１
2006190103.tif 000002
【特許請求の範囲】
【請求項１】
ＷｅｂページのＵＲＬをブックマークとして登録できる機能を有する情報通信端末であって、
複数のディレクトリから構成され、各ディレクトリは、そのディレクトリへ登録されるＵＲＬをアドレスとするＷｅｂページが満たすべき登録条件を有する、ＵＲＬ登録データベースと、
ブックマーク登録するＷｅｂページから、メタデータを取得するＷｅｂページ情報取得部と、
上記情報通信端末の使用環境に関する外部情報を取得する外部情報取得部と、
上記メタデータおよび上記外部情報を用いて、ブックマーク登録対象のＷｅｂページが上記各ディレクトリの登録条件を満たすか否かを判定し、条件を満たすディレクトリに当該ＷｅｂページのＵＲＬを登録するＵＲＬ登録部を備えたことを特徴とする情報通信端末。
【請求項２】
ＵＲＬ登録データベースを構成する各ディレクトリは、ユーザがブックマークを参照する際に、優先的にそのディレクトリ内のＵＲＬを表示するか否かを判断するための呼出条件を有し、
ユーザがブックマークを参照する際に、外部情報取得部によって取得された外部情報が上記各ディレクトリの呼出条件を満たすか否かを判定し、条件を満たすディレクトリに登録されているＵＲＬを優先的に表示するディレクトリ選択表示部を備えたことを特徴とする請求項１記載の情報通信端末。
【請求項３】
外部情報は、ＧＰＳ受信機能によって取得される位置情報であることを特徴とする請求項１または請求項２記載の情報通信端末。
【発明の詳細な説明】
【技術分野】
【０００１】
この発明は、情報通信端末に関するものである。
【背景技術】
【０００２】
携帯電話やＰＨＳ（Ｐｅｒｓｏｎａｌ  Ｈａｎｄｙｐｈｏｎｅ  Ｓｙｓｔｅｍ）等の携帯端末からインターネットまたはイントラネット上のＷｅｂサーバに接続し、Ｗｅｂページを閲覧することが日常的になっている。多くの端末には、閲覧したＷｅｂページのＵＲＬ（Ｕｎｉｆｏｒｍ  Ｒｅｓｏｕｒｃｅ  Ｌｏｃａｔｏｒ）をブックマークとして記録し、次回同じページを参照する際の利便性を図る機能が備えられている。
ブックマーク機能は、ディレクトリ構造のデータベースに、ＵＲＬを保存して管理する機能である。ＵＲＬのブックマークへの登録は、通常、ユーザが任意のディレクトリを選択して保存することにより行う。また、ブックマークの参照時には、全てのディレクトリ構造が表示され、その中からユーザが所望のＵＲＬを選択する。
ブックマークとして登録されたＵＲＬが多くなると、参照時の操作が煩雑になる。また、各ディレクトリへの振分けはユーザ自身で行わなければならなかった。
【０００３】
一方、Ｗｅｂサーバ側でＨＴＴＰリクエストの内容に応じて自動的に返送するＵＲＬを決定する方法については従来から提案されている。例えば特許文献１に開示された技術は、サーバーがクライアントからのリクエストに対してデータを返送するクライアントサーバーシステムの中で、サーバーがあるリクエストに関しては他のサーバーへリダイレクションを行うシステムにおけるＨＴＴＰリクエスト振り分け方法であって、クライアントは当該クライアントを特定する付加情報をリクエストパケットに含ませ、サーバーはその付加情報に基づいて複数のミラーサーバーの中からそのクライアントに適したサーバーのＵＲＬを返送するというものである。これにより、例えばユーザーが自ドメイン名に関する情報を含んだリクエストパケットを送信すれば、ユーザーは複数のサーバーの中で、最もドメイン間距離が近いサーバーを選択できる。また、ユーザーが質問パケットの中に郵便番号に準拠する地域を特定できる情報を送信すれば、同一のドメイン名で管理される複数の異なるコンテンツを含むサーバー（例えばある地域に特化した広告等）の中で、ユーザーの地域に必要と思われる広告を含むサーバーに、自動的にアクセスすることができる。
【０００４】
【特許文献１】特開２００１−１０９６９４号公報
【発明の開示】
【発明が解決しようとする課題】
【０００５】
特許文献１に開示された技術は、Ｗｅｂサーバ側の機能によりユーザ側の状況（地域、時間、環境等）に応じた最適なＷｅｂページを提供するものであるが、ユーザ端末側で、ブックマーク登録時にＷｅｂページを自動的に分類して登録し、参照時にユーザ側の状況に応じた適切なサイトのＵＲＬを提供する技術については従来提案されていなかった。
【０００６】
この発明は上記のような課題を解決するためになされたもので、ユーザにとって操作性、利便性の高いブックマーク機能を有する情報通信端末を得ることを目的とする。
【課題を解決するための手段】
【０００７】
この発明に係る情報通信端末は、ＷｅｂページのＵＲＬをブックマークとして登録できる機能を有する情報通信端末であって、複数のディレクトリから構成され、各ディレクトリは、そのディレクトリへ登録されるＵＲＬをアドレスとするＷｅｂページが満たすべき登録条件を有する、ＵＲＬ登録データベースと、ブックマーク登録するＷｅｂページから、メタデータを取得するＷｅｂページ情報取得部と、情報通信端末の使用環境に関する外部情報を取得する外部情報取得部と、メタデータおよび外部情報を用いて、ブックマーク登録対象のＷｅｂページが各ディレクトリの登録条件を満たすか否かを判定し、条件を満たすディレクトリに当該ＷｅｂページのＵＲＬを登録するＵＲＬ登録部を備えたものである。
【０００８】
この発明に係る情報通信端末は、ＵＲＬ登録データベースを構成する各ディレクトリは、ユーザがブックマークを参照する際に、優先的にそのディレクトリ内のＵＲＬを表示するか否かを判断するための呼出条件を有し、ユーザがブックマークを参照する際に、外部情報取得部によって取得された外部情報が各ディレクトリの呼出条件を満たすか否かを判定し、条件を満たすディレクトリに登録されているＵＲＬを優先的に表示するディレクトリ選択表示部をさらに備えたものである。
【発明の効果】
【０００９】
この発明によれば、ＵＲＬのブックマーク登録時に、ＵＲＬ登録部がＷｅｂページ内のメタデータやユーザ側の条件に基づいて適切な保存ディレクトリを決定するようにしたので、ユーザにとって操作性、利便性の高いブックマーク機能を提供できるという効果がある。
【００１０】
この発明によれば、ブックマーク呼出時には、ディレクトリ選択表示部がユーザ側の条件に適したＵＲＬを優先的に表示するようにしたので、ユーザにとって操作性、利便性の高いブックマーク機能を提供できるという効果がある。
【発明を実施するための最良の形態】
【００１１】
以下、この発明の実施の形態を説明する。
実施の形態１．
図１は、この発明の実施の形態１による情報通信端末１００の構成と、情報通信端末１００を含む情報通信システムの構成を示すブロック図である。
情報通信端末１００は、例えば携帯電話等の携帯端末であり、無線通信回線を介して通信ネットワーク３００に接続されている。なお、情報通信端末１００は有線通信回線を介して通信ネットワーク３００に接続されていてもよい。通信ネットワーク３００には、Ｗｅｂサーバ２００が接続されている。
【００１２】
また、図に示すように、情報通信端末１００は、Ｗｅｂブラウザ１０１、Ｗｅｂページ情報取得部１０２、外部情報取得部１０３、ＵＲＬ登録部１０４、ディレクトリ選択表示部１０５、ＧＰＳ受信機能部１０６、ＵＲＬ登録データベース１０７、および表示装置１０８を備えている。
Ｗｅｂブラウザ１０１、Ｗｅｂページ情報取得部１０２、外部情報取得部１０３、ＵＲＬ登録部１０４、およびディレクトリ選択表示部１０５は、情報通信端末１００のプロセッサを、機能モジュールに従って分割したものである。
ＵＲＬ登録データベース１０７は、情報通信端末１００のメモリ、あるいは情報通信端末１００と接続された外部の記憶装置等に格納される。
表示装置１０８は、情報通信端末１００のディスプレイである。
ＧＰＳ受信機能部１０６は、ＧＰＳ（Ｇｌｏｂａｌ  Ｐｏｓｉｔｉｏｎｉｎｇ  Ｓｙｓｔｅｍ）を介して情報通信端末１００の位置情報を取得する。
【００１３】
次に、動作について説明する。
情報通信端末１００は、ＵＲＬを指定して、通信ネットワーク３００を介してＷｅｂサーバ２００に接続し、Ｗｅｂページ情報を取得する。そして、取得したＷｅｂページをＷｅｂブラウザ１０１によって表示装置１０８に表示する。
Ｗｅｂページをブックマーク登録すると、当該ＷｅｂページのＵＲＬがＵＲＬ登録データベース１０７に格納される。ＵＲＬ登録データベース１０７は、ディレクトリ構造を持ち、ＵＲＬ登録部１０４は、各ディレクトリ毎の登録条件に従って、当該ＷｅｂページのＵＲＬを保存する。
また、ユーザは、ブックマーク登録されているＵＲＬを選択することによりそのＷｅｂページにアクセスすることができる。その際、ディレクトリ選択表示部１０５は、ＵＲＬ登録データベース１０７を構成する各ディレクトリの呼出条件に基づいて、現在のユーザの状況に合ったＷｅｂページを優先的に表示装置１０８に表示する。
【００１４】
図２は、ＵＲＬ登録データベース１０７のディレクトリ構造と、各ディレクトリの登録・呼出条件の設定を説明する図である。
図中（ａ）は、ＵＲＬ登録データベース１０７のディレクトリ構造の例を示す図である。また、（ｂ）は、（ａ）で示すディレクトリ構造を持つＵＲＬ登録データベース１０７の、各ディレクトリの登録・呼出条件の例を示す図である。
図中（ｂ）に示すように、登録・呼出条件は、ディレクトリ毎に、ディレクトリフィールドと複数の条件フィールド（条件１〜ｎ）から構成されるレコードの形で保持されている。ディレクトリフィールドには、各ディレクトリのパス名が格納されている。
また、図３は条件フィールドのフォーマットを示す図である。図に示すように、条件フィールドには、データ種別、キーワード、および判断タイプが格納されている。
データ種別は、登録・呼出条件の判断対象となるデータの種別である。図２（ｂ）の例では、「ｍｅｔａ」と「ＧＰＳ」が該当し、それぞれＷｅｂページ中のメタデータの内容、およびＧＰＳ受信機能により得られる位置情報を表している。
キーワードは、登録・呼出条件の判断に用いられるキーワードであり、図２（ｂ）の例では、「東京」、「大阪」、「ホテル」、「時刻表」が該当する。
判断タイプは、それぞれの条件が登録条件であるか参照条件であるかを示すものであり、「ｗ」は登録条件、「ｒ」は呼出条件、「ｒｗ」は登録および呼出条件であることを表す。
【００１５】
図２（ｂ）に示す例について具体的に説明する。レコード１は、ディレクトリ「￥地域￥東京」についての登録・呼出条件である。条件１「ｍｅｔａ：東京：ｗ」は登録条件であり、Ｗｅｂページ中のメタデータの内容にキーワード「東京」が含まれるかどうかを判断することを示している。条件２「ＧＰＳ：東京：ｒ」は呼出条件であり、ＧＰＳ受信機能によって得られる位置情報が「東京」であるかどうかを判断することを示している。また、レコード２のように条件が設定されていないものについては、ユーザが自ら選択することにより登録、呼出される。
【００１６】
次に、ブックマーク登録時の動作について詳しく説明する。
図４は、実施の形態１による、ブックマーク登録時の動作のフローチャートである。
まず、Ｗｅｂページ情報取得部１０２において、登録対象Ｗｅｂページからメタデータの取得を行う（ステップＳＴ１１）。なお、閲覧中のＷｅｂページのデータは情報通信端末１００のキャッシュに既に保持していることが多いため、その場合には、Ｗｅｂページ情報取得部１０２は、キャッシュに保持されているデータからメタデータを取得すればよい。
次に、外部情報取得部１０３において、外部情報を取得する（ステップＳＴ１２）。ここでは、ＧＰＳ受信機能部１０６から情報通信端末１００の位置情報を取得する。
次に、ＵＲＬ登録部１０４において、ステップＳＴ１１、１２で取得したデータに対して、ＵＲＬ登録データベース１０７のディレクトリの登録条件判定を行う（ステップＳＴ１３）。すなわち、各ディレクトリの条件のうち、「ｍｅｔａ：（キーワード）：ｗ（またはｒｗ）」で示される条件については、ステップＳＴ１１で取得したメタデータ中にキーワードが含まれるか否かを判定し、「ＧＰＳ：（キーワード）：ｗ（またはｒｗ）」で示されるものについては、ステップＳＴ１２で取得した位置情報がキーワードと合致するか否かを判定する。
ステップＳＴ１３において、判定の結果、条件を満たすディレクトリが見つかった場合には、ステップＳＴ１４に進み、ＵＲＬ登録部１０４は条件に合致したディレクトリにＵＲＬを保存する。また、条件を満たすディレクトリが無いと判定された場合には、ステップＳＴ１５へ進み、条件設定のない一般のディレクトリにＵＲＬを保存する。
【００１７】
なお、ＵＲＬ登録の際、ＵＲＬ自身は全て特定のＵＲＬ専用ディレクトリに保存し、条件判定によって選択されたディレクトリには、そのＵＲＬへのリンクを保存するようにしてもよい。この方法によれば、ＵＲＬの実体は１つのディレクトリにまとめて保存することができ、ユーザのディレクトリ管理が容易になる。
【００１８】
次に、ブックマーク呼出時の詳しい動作について説明する。
図５は、実施の形態１による、ブックマーク呼出時の動作のフローチャートである。
まず、外部情報取得部１０３において、外部情報を取得する（ステップＳＴ２１）。具体的には、ＧＰＳ受信機能部１０６から情報通信端末１００の位置情報を取得する。
次に、ディレクトリ選択表示部１０５において、ステップＳＴ２１で取得した位置情報に対してＵＲＬ登録データベース１０７のディレクトリの呼出条件判定を行う（ステップＳＴ２２）。すなわち、各ディレクトリの「ＧＰＳ：（キーワード）：ｒ（またはｒｗ）」で示される条件について、ステップＳＴ２１で取得した位置情報がキーワードと合致するか否かを判定する。
判定の結果、条件を満たすディレクトリが見つかった場合には、ステップＳＴ２３に進み、ディレクトリ選択表示部１０５は条件に合致したディレクトリ内のＵＲＬを優先的に表示装置１０８に表示する。一方、条件を満たすディレクトリが無いと判定された場合には、ステップＳＴ２４へ進み、優先順位無しで、全ディレクトリ内のＵＲＬを表示する。
【００１９】
以上のように、実施の形態１によれば、ＵＲＬのブックマーク登録時には、ＵＲＬ登録部１０４がＷｅｂページ内のメタデータや情報通信端末１００の位置情報に基づいて適切な保存ディレクトリを決定し、ブックマーク呼出時には、ディレクトリ選択表示部１０５が情報通信端末１００の位置情報に合致するディレクトリ内のＵＲＬを優先的に表示するようにしたので、ユーザにとって操作性、利便性の高いブックマーク機能を提供できるという効果がある。
例えば、旅行先、出張先等で、地域限定のＷｅｂサイトを参照する場合などに便利である。
【００２０】
なお、実施の形態１では、外部情報としてＧＰＳ受信機能による位置情報を用いたが、外部情報はこれに限定されず、保存対象のＷｅｂページにおいて設定されている情報以外のものであればよい。例えば、時刻情報などを利用してもよい。
また、メタデータまたは外部情報のみを登録条件として用いても、ユーザにとって操作性、利便性の高いブックマーク機能を提供することができる。
また、ディレクトリ選択表示部１０５は備えずに、ＵＲＬ登録部１０４においてブックマークの自動登録のみを行い、ブックマーク参照時には、優先順位無しで全ディレクトリのＵＲＬを表示する構成であっても、ある程度の操作性、利便性を実現できる。
また、ＵＲＬ登録部１０４は備えずに、ブックマーク登録はユーザ操作により行い、参照時にディレクトリ選択表示部１０５によって優先順位の高いＵＲＬを表示する構成であっても、ある程度の操作性、利便性を実現できる。
【図面の簡単な説明】
【００２１】
【図１】この発明の実施の形態１による、情報通信端末の構成と、情報通信端末を含む情報通信システムの構成を示すブロック図である。
【図２】この発明の実施の形態１による、ＵＲＬ登録データベースのディレクトリ構造と、各ディレクトリの登録・呼出条件の設定を説明する図である。
【図３】この発明の実施の形態１による、ＵＲＬ登録データベースのディレクトリの登録・呼出条件のフォーマットを示す図である。
【図４】この発明の実施の形態１による、ブックマーク登録時の動作のフローチャートである。
【図５】この発明の実施の形態１による、ブックマーク呼出時の動作のフローチャートである。
【符号の説明】
【００２２】
１００  情報通信端末、１０１  Ｗｅｂブラウザ、１０２  Ｗｅｂページ情報取得部、１０３  外部情報取得部、１０４  ＵＲＬ登録部、１０５  ディレクトリ選択表示部、１０６  ＧＰＳ受信機能部、１０７  ＵＲＬ登録データベース、１０８  表示装置、２００  Ｗｅｂサーバ、３００  通信ネットワーク。
【図１】
2006190103.tif 000003
【図２】
2006190103.tif 000004
【図３】
2006190103.tif 000005
【図４】
2006190103.tif 000006
【図５】
2006190103.tif 000007